(57)【要約】【課題】サーバの負荷を大きくすることなく、視聴クライアント毎に異なるデータをストリーミング映像に付加して容易に配信可能なストリーミング視聴システムを提供する。【解決手段】視聴クライアント１はストリーミング配信サーバ４からのストリーミング映像を映像受信部２１で受信し、付加データ配信サーバ５からの付加データを付加データ受信部２２で受信する。スプリッタ３１は映像データをＡｕｄｉｏデータとＶｉｄｅｏデータとに分離し、Ａｕｄｉｏデコーダ３２は分離されたＡｕｄｉｏデータを復元し、Ｖｉｄｅｏデコーダ３３は分離されたＶｉｄｅｏデータを復元する。Ｄａｔａデコーダ３４は付加データを復元し、オーバーレイミキサ３５は復元された映像及び付加データを合成する。音声出力装置１１は復元された音声を出力し、映像出力装置１２は合成された映像を出力する。【選択図】      図１
2004253933.tif 000002
【特許請求の範囲】
【請求項１】
ストリーミング配信サーバからのストリーミング映像を複数のストリーミング視聴装置に配信して表示するストリーミング視聴システムであって、
前記複数のストリーミング視聴装置各々に対応する付加データを配信する付加データ配信サーバと、
前記複数のストリーミング視聴装置各々に設けられかつ前記ストリーミング映像及び前記付加データをそれぞれ別々に受信する受信手段と、
前記複数のストリーミング視聴装置各々に設けられかつ前記受信手段で受信した前記ストリーミング映像及び前記付加データを合成して出力する手段とを有することを特徴とするストリーミング視聴システム。
【請求項２】
前記複数のストリーミング視聴装置各々が前記ストリーミング配信サーバ及び前記付加データ配信サーバにアクセスし、前記ストリーミング配信サーバ及び前記付加データ配信サーバからそれぞれストリーミング映像及び付加データを受信することを特徴とする請求項１記載のストリーミング視聴システム。
【請求項３】
前記付加データは、文字列と、音声と、音声を含む動画像とのうちの少なくともいずれか一つであることを特徴とする請求項１または請求項２記載のストリーミング視聴システム。
【請求項４】
前記複数のストリーミング視聴装置各々からの識別情報を基に当該識別情報に対応する付加データを選択する手段を含み、その付加データを前記付加データ配信サーバから前記識別情報に対応するストリーミング視聴装置に配信することを特徴とする請求項１から請求項３のいずれか記載のストリーミング視聴システム。
【請求項５】
ストリーミング配信サーバから配信されるストリーミング映像を受信する第１の受信手段を含み、受信したストリーミング映像を表示するストリーミング視聴装置であって、
前記第１の受信手段に対して独立に設けられかつ付加データ配信サーバから配信される自装置に対応する付加データを受信する第２の受信手段と、
前記第１の受信手段で受信した前記ストリーミング映像と前記第２の受信手段で受信した前記付加データとを合成して出力する手段とを有することを特徴とするストリーミング視聴装置。
【請求項６】
前記ストリーミング配信サーバ及び前記付加データ配信サーバにアクセスし、前記ストリーミング配信サーバ及び前記付加データ配信サーバからそれぞれストリーミング映像及び付加データを受信することを特徴とする請求項５記載のストリーミング視聴装置。
【請求項７】
前記付加データは、文字列と、音声と、音声を含む動画像とのうちの少なくともいずれか一つであることを特徴とする請求項５または請求項６記載のストリーミング視聴装置。
【請求項８】
自装置からの識別情報を基に選択されかつ前記付加データ配信サーバから配信される付加データを前記ストリーミング映像に合成することを特徴とする請求項５から請求項７のいずれか記載のストリーミング視聴装置。
【請求項９】
ストリーミング配信サーバからのストリーミング映像を複数のストリーミング視聴装置に配信して表示するストリーミング視聴システムの視聴データ合成方法であって、前記ストリーミング視聴装置側に、付加データ配信サーバから配信されかつ前記複数のストリーミング視聴装置各々に対応する付加データと前記ストリーミング映像とをそれぞれ別々に受信する処理と、その受信した前記ストリーミング映像及び前記付加データを合成して出力する処理とを有することを特徴とする視聴データ合成方法。
【請求項１０】
前記複数のストリーミング視聴装置各々が前記ストリーミング配信サーバ及び前記付加データ配信サーバにアクセスし、前記ストリーミング配信サーバ及び前記付加データ配信サーバからそれぞれストリーミング映像及び付加データを受信することを特徴とする請求項９記載の視聴データ合成方法。
【請求項１１】
前記付加データは、文字列と、音声と、音声を含む動画像とのうちの少なくともいずれか一つであることを特徴とする請求項９または請求項１０記載の視聴データ合成方法。
【請求項１２】
前記複数のストリーミング視聴装置各々からの識別情報を基に選択されかつ当該識別情報に対応する付加データを前記付加データ配信サーバから前記識別情報に対応するストリーミング視聴装置に配信することを特徴とする請求項９から請求項１１のいずれか記載の視聴データ合成方法。
【請求項１３】
ストリーミング配信サーバからのストリーミング映像を複数のストリーミング視聴装置に配信して表示する視聴データ合成方法のプログラムであって、コンピュータに、前記ストリーミング視聴装置側に、付加データ配信サーバから配信されかつ前記複数のストリーミング視聴装置各々に対応する付加データと前記ストリーミング映像とをそれぞれ別々に受信する処理と、その受信した前記ストリーミング映像及び前記付加データを合成して出力する処理とを実行させるためのプログラム。
【発明の詳細な説明】
【０００１】
【発明の属する技術分野】
本発明はストリーミング視聴システム、ストリーミング視聴装置及びそれに用いる視聴データ合成方法に関し、特にストリーミング配信サーバから受信した映像や音楽等のストリーミングデータをクライアント装置に出力するストリーミング視聴システムに関する。
【０００２】
【従来の技術】
近年、インタネットを用いたコンテンツ配信サービスとしては、映像や音楽等のストリーミングデータを配信するインタネットラジオやインタネットテレビ、及びライブ配信等が普及してきている。
【０００３】
例えば、動画のストリーミング配信等においては、大容量のデータ配信を前提としたものであり、このような大容量のデータ配信を、ネットワークの負荷をなるべく低減して実現するために、１つのストリームデータを複数のクライアント装置に提供するマルチキャストストリーミング等の技術が用いられる。
【０００４】
このマルチキャストストリーミング等の技術では、個々の視聴者の要求に応じたデータ（例えば、広告のデータ等）を配信することが困難である。そのため、コンテンツ配信サービスにおいては、ユーザによって設定された広告の視聴に関する情報を記憶しておき、その情報に基づいて広告データを選択し、この広告データとストリームデータとを合成して表示する方法が提案されている（例えば、特許文献１参照）。
【０００５】
【特許文献１】
特開２００２−２９０９５７号公報（第１０，１１頁、図１）
【０００６】
【発明が解決しようとする課題】
上述した従来のストリーミング配信システムでは、ストリーミング配信サーバから受信した映像をそのまま出力しているため、クライアント毎に異なるデータの配信を柔軟に行うことができないという問題がある。
【０００７】
また、従来のストリーミング配信システムでは、上記の課題を克服すべく、配信されるストリーミング映像自体を切替える方法やサーバ側でクライアント毎にデータ合成してから配信する方法を採用すると、サーバの負荷が大きくなるという問題がある。これらの問題は上記の特許文献１の技術を用いても解決することができない。
【０００８】
そこで、本発明の目的は上記の問題点を解消し、サーバの負荷を大きくすることなく、視聴クライアント毎に異なるデータをストリーミング映像に付加して容易に配信することができるストリーミング視聴システム、ストリーミング視聴装置及びそれに用いる視聴データ合成方法を提供することにある。
【０００９】
【課題を解決するための手段】
本発明によるストリーミング視聴システムは、ストリーミング配信サーバからのストリーミング映像を複数のストリーミング視聴装置に配信して表示するストリーミング視聴システムであって、
前記複数のストリーミング視聴装置各々に対応する付加データを配信する付加データ配信サーバと、
前記複数のストリーミング視聴装置各々に設けられかつ前記ストリーミング映像及び前記付加データをそれぞれ別々に受信する受信手段と、
前記複数のストリーミング視聴装置各々に設けられかつ前記受信手段で受信した前記ストリーミング映像及び前記付加データを合成して出力する手段とを備えている。
【００１０】
本発明によるストリーミング視聴装置は、ストリーミング配信サーバから配信されるストリーミング映像を受信する第１の受信手段を含み、受信したストリーミング映像を表示するストリーミング視聴装置であって、
前記第１の受信手段に対して独立に設けられかつ付加データ配信サーバから配信される自装置に対応する付加データを受信する第２の受信手段と、
前記第１の受信手段で受信した前記ストリーミング映像と前記第２の受信手段で受信した前記付加データとを合成して出力する手段とを備えている。
【００１１】
本発明による視聴データ合成方法は、ストリーミング配信サーバからのストリーミング映像を複数のストリーミング視聴装置に配信して表示するストリーミング視聴システムの視聴データ合成方法であって、前記ストリーミング視聴装置側に、付加データ配信サーバから配信されかつ前記複数のストリーミング視聴装置各々に対応する付加データと前記ストリーミング映像とをそれぞれ別々に受信する処理と、その受信した前記ストリーミング映像及び前記付加データを合成して出力する処理とを備えている。
【００１２】
すなわち、本発明のストリーミング視聴システムは、ストリーミング映像と付加データとをそれぞれ別々に受信し、それらのデータをクライアント環境で合成して出力することを特徴としている。
【００１３】
より具体的に説明すると、本発明のストリーミング視聴システムは、視聴クライアントと、ストリーミング配信サーバと、付加データ配信サーバとから構成され、視聴クライアントがストリーミング配信サーバ及び付加データ配信サーバにアクセスし、それぞれからストリーミング映像及び付加データを受信し、これらのデータをオーバーレイミキサを用いて合成して出力している。
【００１４】
上記のように、本発明のストリーミング視聴システムでは、データ合成機能を備えた視聴システムを実現することで、複数の視聴クライアントに対して異なる情報を容易に配信することが可能となる。
【００１５】
【発明の実施の形態】
次に、本発明の実施例について図面を参照して説明する。図１は本発明の第１の実施例によるストリーミング視聴システムの構成を示すブロック図である。図１において、本発明の第１の実施例によるストリーミング視聴システムは視聴クライアント１と、ストリーミング配信サーバ４と、付加データ配信サーバ５と、視聴クライアント１とストリーミング配信サーバ４と付加データ配信サーバ５とを相互に接続するネットワーク１００とから構成されている。
【００１６】
視聴クライアント１はデータ受信部２と、データ処理部３と、音声出力装置１１と、映像出力装置１２とから構成され、必要に応じてストリーミング配信サーバ４及び付加データ配信サーバ５に対してアクセスする。データ受信部２は映像受信部２１及び付加データ受信部２２を備え、データ処理部３はスプリッタ３１と、Ａｕｄｉｏデコーダ３２と、Ｖｉｄｅｏデコーダ３３と、Ｄａｔａデコーダ３４と、オーバーレイミキサ３５とを備えている。
【００１７】
ストリーミング配信サーバ４はネットワーク１００を介して複数の視聴クライアント１に対して同一のストリーミング映像を配信する装置であり、付加データ配信サーバ５はネットワーク１００を介して複数の視聴クライアント１に対してそれぞれ異なる付加データを配信する装置である。
【００１８】
映像受信部２１はストリーミング配信サーバ４から配信されるストリーミング映像を受信し、付加データ受信部２２は付加データ配信サーバ５から配信される付加データを受信する。
【００１９】
スプリッタ３１は映像受信部２１で受信した映像データをＡｕｄｉｏデータとＶｉｄｅｏデータとに分離し、ＡｕｄｉｏデータをＡｕｄｉｏデコーダ３２に、ＶｉｄｅｏデータをＶｉｄｅｏデコーダ３３にそれぞれ渡す装置である。Ａｕｄｉｏデコーダ３２はＡｕｄｉｏデータを復元し、復元したＡｕｄｉｏデータを音声出力装置１１に渡す装置である。
【００２０】
Ｖｉｄｅｏデコーダ３３はＶｉｄｅｏデータを復元する装置であり、Ｄａｔａデコーダ３４は付加データを復元する装置である。オーバーレイミキサ３５はＶｉｄｅｏデコーダ３３で復元されたＶｉｄｅｏデータとＤａｔａデコーダ３４で復元された付加データとを合成し、そのデータを映像出力装置１２に渡す装置である。
【００２１】
図２は本発明の第１の実施例によるストリーミング視聴システムのデータ配信例を示す図である。図２において、ストリーミング配信サーバ４は複数の視聴クライアント１−１〜１−ｎに対して同一のストリーミング映像を配信し、付加データ配信サーバ５は複数の視聴クライアント１−１〜１−ｎに対してそれぞれ異なる付加データ（「ａａａａ」，「ｂｂｂｂ」，「ｃｃｃｃ」）を配信する。
【００２２】
視聴クライアント１−１〜１−ｎはストリーミング配信サーバ４及び付加データ配信サーバ５それぞれからストリーミング映像及び付加データを受信し、これらのデータをオーバーレイミキサ３５を用いて合成して出力する。尚、視聴クライアント１−１〜１−ｎはストリーミング配信サーバ４及び付加データ配信サーバ５それぞれからストリーミング映像及び付加データを受信する際に、ストリーミング配信サーバ４及び付加データ配信サーバ５にアクセスしてデータを要求する形態をとることもある。
【００２３】
つまり、視聴クライアント１−１はストリーミング映像と付加データ「ａａａａ」とを合成して出力し、視聴クライアント１−２はストリーミング映像と付加データ「ｂｂｂｂ」とを合成して出力し、視聴クライアント１−ｎはストリーミング映像と付加データ「ｃｃｃｃ」とを合成して出力することとなる。
【００２４】
よって、本発明の第１の実施例によるストリーミング視聴システムでは、オーバーレイミキサ３５を備えた視聴クライアント１−１〜１−ｎによるシステムを実現することで、複数の視聴クライアント１−１〜１−ｎに対して異なる情報を容易に配信することができる。
【００２５】
図３は本発明の第１の実施例によるストリーミング視聴システムの動作例を示す図である。この図３を参照して本発明の第１の実施例によるストリーミング視聴システムの動作について説明する。尚、ストリーミング視聴システムの動作はコンピュータで実行可能なプログラムでも実現可能であり、データ受信部２及びデータ処理部３の処理がプログラムで実現されることとなる。
【００２６】
ストリーミング配信サーバ４からストリーミング映像が配信され（図３のａ１）、付加データ配信サーバ５から付加データが配信されると（図３のｂ１）、視聴クライアント１ではストリーミング映像が映像受信部２１で受信され、その受信したデータがスプリッタ３１に渡される（図３のａ２）。
【００２７】
スプリッタ３１は受取った映像データをＡｕｄｉｏデータとＶｉｄｅｏデータとに分離し、ＡｕｄｉｏデータをＡｕｄｉｏデコーダ３２に、ＶｉｄｅｏデータをＶｉｄｅｏデコーダ３３にそれぞれ渡す（図３のａ３，ａ４）。
【００２８】
Ａｕｄｉｏデコーダ３２はスプリッタ３１で分離されたＡｕｄｉｏデータを復元し、そのデータ（復元音声）を音声出力装置１１に渡す（図３のａ５）。Ｖｉｄｅｏデコーダ３３はスプリッタ３１で分離されたＶｉｄｅｏデータを復元し、そのデータ（復元映像）をオーバーレイミキサ３５に渡す（図３のａ６）。
【００２９】
また、視聴クライアント１では付加データが付加データ受信部２２で受信され、その受信したデータがＤａｔａデコーダ３４に渡される（図３のｂ２）。Ｄａｔａデコーダ３４は受信した付加データを復元し、そのデータをオーバーレイミキサ３５に渡す（図３のｂ３）。
【００３０】
オーバーレイミキサ３５は復元された映像及び付加データとを受取ると、それらのデータを合成して映像出力装置１２に渡す（図３のａ７）。これによって、視聴クライアント１では復元された映像及び付加データが合成された映像を視聴することが可能となる。
【００３１】
このように、本実施例では、視聴クライアント１−１〜１−ｎ毎に異なるデータをストリーミング映像に付加して容易に配信することができる。この場合、ストリーミング配信サーバ４は全ての視聴クライアント１−１〜１−ｎに対して同一のストリーミング映像を配信しているので、サーバ側でクライアント毎にストリーミング映像を変化させる方式に比べて、ストリーミング配信サーバ４の負荷を軽減することができる。
【００３２】
また、本実施例では、ストリーミング配信サーバ４からの映像配信にマルチキャスト技術を使用することによって、ネットワーク１００の負荷を軽減することができる。
【００３３】
図４は本発明の第２の実施例によるストリーミング視聴システムの構成を示すブロック図である。図４においては、本発明の第１の実施例によるストリーミング視聴システムの付加データ配信サーバ５について工夫し、各ユーザに適した付加データを配信可能とした例を示している。
【００３４】
つまり、本発明の第２の実施例によるストリーミング視聴システムはユーザ情報解析部６と、ユーザ情報データベース（ＤＢ）７と、付加データデータベース（ＤＢ）８とを追加した以外は図２に示す本発明の第１の実施例によるストリーミング視聴システムと同様の構成となっており、同一構成要素には同一符号を付してある。但し、ストリーミング配信サーバ４及び視聴クライアント１−１〜１−ｎの内部構成については図示を省略している。
【００３５】
ユーザ情報データベース７はユーザの詳細情報に関するデータベースである。また、付加データデータベース８は付加データ配信サーバ５のコンテンツ情報に関するデータベースである。ユーザ情報解析部６はユーザ情報データベース７を用いてユーザの詳細情報を解析し、付加データデータベース８からユーザに適した付加データを選択する。
【００３６】
この図４を参照して本発明の第２の実施例によるストリーミング視聴システムの動作について説明する。付加データ配信サーバ５はデータを配信する視聴クライアント１−１〜１−ｎのユーザ識別情報をユーザ情報解析部６に渡す（図４のｃ１）。ユーザ情報解析部６は受取ったユーザ識別情報を基にユーザ情報データベース７から対応するユーザ詳細情報を取出す（図４のｃ２，ｃ３）。
【００３７】
ユーザ情報解析部６はユーザ情報データベース７から取得したユーザ詳細情報を解析し（図４のｃ４）、その解析情報を基に付加データデータベース８からユーザに適した付加データを選択し、その付加データの情報を取得し（図４のｃ５，ｃ６）、その情報を付加データ配信サーバ５に送信する（図４のｃ７）。
【００３８】
付加データ配信サーバ５は選択された付加データの情報を受取ると、その付加データの情報を対応する視聴クライアント１−１〜１−ｎに配信する（図４のｃ８）。
【００３９】
このように、本実施例では、上述した本発明の第１の実施例における効果に加えて、ユーザ情報解析部６の処理によって視聴クライアント１−１〜１−ｎに対してそれぞれの興味やニーズに対応した情報を動的に配信することができるという効果が得られる。
【００４０】
図５は本発明の第３の実施例によるストリーミング視聴システムの構成を示すブロック図である。本発明の第１の実施例によるストリーミング視聴システムでは付加データとして基本的に文字列を使用可能としているが、本発明の第３の実施例によるストリーミング視聴システムでは付加データとして音声を使用可能としている。
【００４１】
図５において、本発明の第３の実施例によるストリーミング視聴システムは、オーバレイミキサ３５の代わりにＡｕｄｉｏミキサ３６を設けた以外は、図１に示す本発明の第１の実施例によるストリーミング視聴システムと同様の構成となっており、同一構成要素には同一符号を付してある。
【００４２】
したがって、ストリーミング配信サーバ（図示せず）からストリーミング映像が配信され、付加データ配信サーバ（図示せず）から付加データが配信されると、視聴クライアント１ではストリーミング映像が映像受信部２１で受信され、その受信したデータがスプリッタ３１に渡される。
【００４３】
スプリッタ３１は受取った映像データをＡｕｄｉｏデータとＶｉｄｅｏデータとに分離し、ＡｕｄｉｏデータをＡｕｄｉｏデコーダ３２に、ＶｉｄｅｏデータをＶｉｄｅｏデコーダ３３にそれぞれ渡す。Ａｕｄｉｏデコーダ３２はスプリッタ３１で分離されたＡｕｄｉｏデータを復元し、そのデータ（復元音声）をＡｕｄｉｏミキサ３６に渡す。Ｖｉｄｅｏデコーダ３３はスプリッタ３１で分離されたＶｉｄｅｏデータを復元し、そのデータ（復元映像）を映像出力装置１２に渡す。
【００４４】
また、視聴クライアント１では付加データが付加データ受信部２２で受信され、その受信したデータがＤａｔａデコーダ３４に渡される。Ｄａｔａデコーダ３４は受信した付加データを復元し、Ａｕｄｉｏミキサ３６に渡す。Ａｕｄｉｏミキサ３６は復元された音声及び付加データとを受取ると、それらのデータを合成して音声出力装置１１に渡す。これによって、視聴クライアント１では復元された音声及び付加データが合成された音声を視聴することが可能となる。
【００４５】
図６は本発明の第４の実施例によるストリーミング視聴システムの構成を示すブロック図である。本発明の第１の実施例によるストリーミング視聴システムでは付加データとして基本的に文字列を使用可能としているが、本発明の第４の実施例によるストリーミング視聴システムでは付加データとして音声を含む動画像を使用可能としている。
【００４６】
図６において、本発明の第４の実施例によるストリーミング視聴システムは、Ｄａｔａデコーダ３４の代わりに付加データ用のスプリッタ３７と、Ａｕｄｉｏデコーダ３８と、Ｖｉｄｅｏデコーダ３９とを設け、Ａｕｄｉｏミキサ３６を追加した以外は、図１に示す本発明の第１の実施例によるストリーミング視聴システムと同様の構成となっており、同一構成要素には同一符号を付してある。
【００４７】
ストリーミング配信サーバ（図示せず）からストリーミング映像が配信され、付加データ配信サーバ（図示せず）から付加データが配信されると、視聴クライアント１ではストリーミング映像が映像受信部２１で受信され、その受信したデータがスプリッタ３１に渡される。
【００４８】
スプリッタ３１は受取った映像データをＡｕｄｉｏデータとＶｉｄｅｏデータとに分離し、ＡｕｄｉｏデータをＡｕｄｉｏデコーダ３２に、ＶｉｄｅｏデータをＶｉｄｅｏデコーダ３３にそれぞれ渡す。Ａｕｄｉｏデコーダ３２はスプリッタ３１で分離されたＡｕｄｉｏデータを復元し、そのデータ（復元音声）をＡｕｄｉｏミキサ３６に渡す。Ｖｉｄｅｏデコーダ３３はスプリッタ３１で分離されたＶｉｄｅｏデータを復元し、そのデータ（復元映像）をオーバーレイミキサ３５に渡す。
【００４９】
また、視聴クライアント１では付加データが付加データ受信部２２で受信され、その受信したデータがスプリッタ３７に渡される。スプリッタ３７は受取った映像データをＡｕｄｉｏデータとＶｉｄｅｏデータとに分離し、ＡｕｄｉｏデータをＡｕｄｉｏデコーダ３９に、ＶｉｄｅｏデータをＶｉｄｅｏデコーダ３８にそれぞれ渡す。Ｖｉｄｅｏデコーダ３８はスプリッタ３７で分離されたＶｉｄｅｏデータを復元し、そのデータ（復元映像）をオーバーレイミキサ３５に渡す。Ａｕｄｉｏデコーダ３９はスプリッタ３７で分離されたＡｕｄｉｏデータを復元し、そのデータ（復元音声）をＡｕｄｉｏミキサ３６に渡す。
【００５０】
オーバーレイミキサ３５は復元された映像及び付加データとを受取ると、それらのデータを合成して映像出力装置１２に渡す。Ａｕｄｉｏミキサ３６は復元された音声及び付加データとを受取ると、それらのデータを合成して音声出力装置１１に渡す。これによって、視聴クライアント１では復元された音声及び映像と復元された付加データ（音声及び映像）とが合成された音声及び映像を視聴することが可能となる。
【００５１】
尚、本発明の応用例としては以下のようなものが挙げられる。第１の応用例としては、株価情報を表示する例がある。この例の場合には、視聴クライアントに興味のある企業を事前に登録してもらう。付加データ配信サーバが該当する企業の株価情報を配信することで、視聴クライアントでは映像を見ながら、興味のある企業の株価情報を得ることが可能となる。
【００５２】
第２の応用例としては、気象情報を表示する例がある。この例の場合には、現在アクセスしている地域を自動取得するか、第１の応用例と同様に、視聴クライアントに事前に登録してもらった情報を基に該当する地域を選択する。付加データ配信サーバがその選択された地域の気象情報を配信することで、視聴クライアントでは他の映像を見ながら、自分に関係する地域の気象情報を得ることが可能となる。
【００５３】
第３の応用例としては、スポーツ情報を配信する例がある。この例の場合には、視聴クライアントに各スポーツで応援するチームや選手等を事前登録してもらい、付加データ配信サーバがその情報を基に該当する情報を配信する。視聴クライアントではそのスポーツ中継を見ながら、興味ある情報を得ることが可能となり、また全く異なる映像を見ながら、その該当情報を得ることも可能となる。
【００５４】
第４の応用例としては、選挙速報を通知する例がある。この例の場合には、ユーザ情報から該当する地区を調査するか、支持する政党を事前登録してもらう。付加データ配信サーバが該当する情報を配信することで、視聴クライアントでは他の映像を見ながら、自分の地区や支持する政党に関する情報を得ることが可能となる。
【００５５】
第５の応用例としては、交通情報を通知する例がある。この例の場合には、ＧＰＳ（Ｇｌｏｂａｌ  Ｐｏｓｉｔｉｏｎｉｎｇ  Ｓｙｓｔｅｍ）連携によって現在の位置情報を取得するか、事前に情報を登録してもらい、配信する情報を選択する。付加データ配信サーバがその周辺の交通情報を選択して配信することで、視聴クライアントでは他の映像を見ながら、必要な交通情報を得ることが可能となる。
【００５６】
第６の応用例としては、広告を挿入する例がある。この例の場合には、事前に興味関心事項等を登録してもらうか、視聴履歴等をデータマイニングすることによって配信する広告を選択する。付加データ配信サーバがその広告を配信することで、視聴クライアントでは要求する映像を見ながら、視聴クライアントの興味を引く広告も流れることとなる。
【００５７】
第７の応用例としては、時刻を挿入する例がある。この例の場合には、付加データ配信サーバが各国の時刻で情報を配信することで、ストリーミング配信サーバで同じ映像を配信しても、視聴クライアントでは現地時刻で映像を視聴することが可能となり、国毎に異なる時刻が表示可能となる。
【００５８】
第８の応用例としては、多言語で放送する例がある。この例の場合には、付加データ配信サーバが各国の言語に対応した字幕もしくは音声を配信することで、ストリーミング配信サーバからは同じ映像を配信しても、視聴クライアントでは異なる言語で映像を視聴することが可能となる。
【００５９】
【発明の効果】
以上説明したように本発明は、上記のような構成及び動作とすることで、サーバの負荷を大きくすることなく、視聴クライアント毎に異なるデータをストリーミング映像に付加して容易に配信することができるという効果が得られる。
【図面の簡単な説明】
【図１】本発明の第１の実施例によるストリーミング視聴システムの構成を示すブロック図である。
【図２】本発明の第１の実施例によるストリーミング視聴システムのデータ配信例を示す図である。
【図３】本発明の第１の実施例によるストリーミング視聴システムの動作例を示す図である。
【図４】本発明の第２の実施例によるストリーミング視聴システムの構成を示すブロック図である。
【図５】本発明の第３の実施例によるストリーミング視聴システムの構成を示すブロック図である。
【図６】本発明の第４の実施例によるストリーミング視聴システムの構成を示すブロック図である。
【符号の説明】
１，１−１〜１−ｎ  視聴クライアント
２  データ受信部
３  データ処理部
４  ストリーミング配信サーバ
５  付加データ配信サーバ
６  ユーザ情報解析部
７  ユーザ情報データベース
８  付加データデータベース
１１  音声出力装置
１２  映像出力装置
２１  映像受信部
２２  付加データ受信部
３１，３７  スプリッタ
３２，３９  Ａｕｄｉｏデコーダ
３３，３８  Ｖｉｄｅｏデコーダ
３４  Ｄａｔａデコーダ
３５  オーバーレイミキサ
３６  Ａｕｄｉｏミキサ
１００  ネットワーク
【図１】
2004253933.tif 000003
【図２】
2004253933.tif 000004
【図３】
2004253933.tif 000005
【図４】
2004253933.tif 000006
【図５】
2004253933.tif 000007
【図６】
2004253933.tif 000008